(57)【特許請求の範囲】
【請求項１】
摺動方式で開閉される窓ガラスフレーム１１からなる窓ガラス１０が結合して移動するレール２０が形成された上側フレーム３０、下側フレーム４０、左側フレーム５０、右側フレーム６０を四角フレームにして建物に設ける窓額縁７０の上側フレームにおいて、前記上側フレーム３０は、下部に開放された匚字状で建物２００の設置部２０１に密着して設けられる設置端３１の両末端が下部に延長された末端が内側に折曲して対向するように折曲端３２を形成し、前記上側フレーム３０の折曲端３２に置かれて係止される係止端８１が両末端に形成され、前記係止端８１を連結する胴体端８２の下部面に多数のレール２０からなる下部が開放された匚字状の稼動フレーム８０を形成し、前記稼動フレーム８０を上側フレーム３０の内部に挿入して係止端８１を折曲端３２に係止させ、前記上側フレーム３０の両側に、下側フレーム６０に連結された左側フレーム４０と右側フレーム５０とを連結した後、窓ガラス１０を設ける場合、前記窓ガラス１０の上部端は稼動フレーム８０を押し上げて窓ガラス１０が窓額縁７０内に設けられる余裕空間を確保すると共に、下部端は下側フレーム４０に置かれ、前記窓ガラス１０が設けられると稼動フレーム８０が自重によって下部に移動して密着され、室内及び室外を遮るように構成することを特徴とするエアシールドウィンドウ。
【請求項２】
上側フレーム３０と稼動フレーム８０との間には、弾性手段９０を挿入し、前記弾性手段９０は、窓ガラス１０を設ける場合、上側フレーム３０に支持されて押し上げられる稼動フレーム８０によって加圧された後、窓ガラス１０の設置が完了すると弾性力によって稼動フレーム８０を下部に復帰するように構成することを特徴とする、請求項１に記載のエアシールドウィンドウ。
【請求項３】
前記弾性手段９０は、半円筒状に構成され、上側フレーム３０に両末端が自由に支持されるか、一末端を固定して構成することを特徴とする、請求項２に記載のエアシールドウィンドウ。
【請求項４】
前記弾性手段９０は、両末端の直径が同一であるコイルバネ、または円錐状のコイルバネの中、何れか１つで構成することを特徴とする、請求項２に記載のエアシールドウィンドウ。
【請求項５】
摺動方式で開閉される窓ガラスフレームの無い窓ガラス１０が結合して移動する上側フレーム３０、下側フレーム４０、左側フレーム５０、右側フレーム６０を四角フレームにして建物に設ける窓額縁７０の上側フレームにおいて、
前記上側フレーム３０は、下部に開放された匚字状で建物２００の設置部２０１に密着して設けられる設置端３１の両末端が下部に延長された末端が内側に折曲して対向するように折曲端３２を形成し、前記上側フレーム３０の折曲端３２に置かれて係止される係止端８１が両末端に形成され、前記係止端８１を連結する胴体端８２の中央下部に分割端８４が形成され、係止端８１と分割端８４との間に多数のガイド溝８５からなる下部が開放された匚字状の稼動フレーム８０を形成し、前記稼動フレーム８０を上側フレーム３０の内部に挿入し、係止端８１を折曲端３２に係止させ、前記上側フレーム３０の両側に、下側フレーム６０に連結された左側フレーム４０と右側フレーム５０とを連結した後、窓ガラス１０を設ける場合、前記窓ガラス１０の上部端は、稼動フレーム８０を押し上げて窓ガラス１０が設けられる余裕空間を確保すると共に、下部端は下側フレーム６０に置かれ、前記窓ガラス１０が設けられると、稼動フレーム８０が自重によって下部に移動して密着され、室内及び室外を遮るように構成することを特徴とするエアシールドウィンドウ。
【請求項６】
上側フレーム３０と稼動フレーム８０との間には弾性手段９０を挿入し、前記弾性手段９０は、窓ガラス１０を設ける場合、上側フレーム３０に支持されて押し上げられる稼動フレーム８０によって加圧された後、窓ガラス１０の設置が完了すると、弾性力によって稼動フレーム８０を下部に復帰するように構成することを特徴とする、請求項５に記載のエアシールドウィンドウ。
【請求項７】
前記弾性手段９０は、半円筒状に構成され、上側フレーム３０に両末端が自由に支持されるか、一末端を固定して構成することを特徴とする、請求項６に記載のエアシールドウィンドウ。
【請求項８】
前記弾性手段９０は、両末端の直径が同一であるコイルバネ、または円錐状のコイルバネの中、何れか１つで構成することを特徴とする、請求項６に記載のエアシールドウィンドウ。
【請求項９】
前記弾性手段９０がコイルバネで構成し、一末端を上側フレーム３０や稼動フレーム８０に固定結合して弾性手段９０の動きが防止されるように構成することを特徴とする、 請求項８に記載のエアシールドウィンドウ。
【請求項１０】
摺動方式で開閉される窓ガラスフレーム１１からなる窓ガラス１０が結合して移動するレール２０が形成された上側フレーム３０、下側フレーム４０、左側フレーム５０、右側フレーム６０を四角フレームにして建物に設ける窓額縁７０の上側フレームにおいて、
前記上側フレーム３０は、下部に開放された匚字状で建物２００の設置部２０１に密着して設けられる設置端３１の両末端に上側孔３３を貫通して形成し、前記上側フレーム３０の設置端３１の下部面に密着され、上側孔３３と同一線上に稼動孔８６が胴体端８２を貫通し、前記胴体端８２の下部面に多数のレール２０からなる下部が開放された匚字状の稼動フレーム８０を形成し、前記上側フレーム３０の上側孔３３と稼動フレーム８０の稼動孔８６に両末端がそれぞれ貫通するネジ軸８７にナット８８を締結し、前記稼動フレーム８０を上側フレーム３０の下部に密着させてネジ軸８７とナット８８で連結し、前記上側フレーム３０の両側に、下側フレーム６０に連結された左側フレーム４０と右側フレーム５０とを連結した後、窓ガラス１０を設ける場合、前記窓ガラス１０の上部端は稼動フレーム８０を押し上げて窓ガラス１０が窓額縁７０内に設けられる余裕空間を確保すると共に、下部端は下側フレーム４０に置かれ、前記窓ガラス１０が設けられると稼動フレーム８０が自重によって下部に移動して密着され、室内及び室外を遮るように構成することを特徴とするエアシールドウィンドウ。
【請求項１１】
前記上側フレーム３０と稼動フレーム８０との間には弾性手段９０を挿入し、前記弾性手段９０は、窓ガラス１０を設ける場合、上側フレーム３０に支持されて押し上げられる稼動フレーム８０によって加圧された後、窓ガラス１０の設置が完了すると、弾性力によって稼動フレーム８０を下部に復帰するように構成することを特徴とする、請求項１０に記載のエアシールドウィンドウ。
【請求項１２】
前記弾性手段９０は、スポンジで構成することを特徴とする、請求項１１に記載のエアシールドウィンドウ。
【請求項１３】
前記上側フレーム３０と稼動フレーム８０との間に挿入される弾性手段９０をコイル状のバネで構成し、前記バネの上部端は上側フレーム３０の天井面に付着され、バネの下部端は稼動フレーム８０の屋根面に固定されて構成することを特徴とする、請求項１０に記載のエアシールドウィンドウ。
【請求項１４】
摺動方式で開閉される窓ガラスフレーム１１からなる窓ガラス１０が結合して移動するレール２０が形成された上側フレーム３０、下側フレーム４０、左側フレーム５０、右側フレーム６０を四角フレームにして建物に設ける窓額縁７０の上側フレームにおいて、
前記上側フレーム３０は、下部に開放された匚字状で建物２００の設置部２０１に密着して設けられる設置端３１の両末端が下部に延長された末端が内側に折曲して対向するように折曲端３２を形成し、前記上側フレーム３０の折曲端３２に置かれて係止される係止端８１が両末端に形成され、前記係止端８１を連結する胴体端８２の下部面に１つのレール２０からなる下部が開放された匚字状の稼動フレーム８０を多数形成し、前記稼動フレーム８０を上側フレーム３０の内部に挿入して係止端８１を折曲端３２に係止させ、前記上側フレーム３０の両側に下側フレーム６０に連結された左側フレーム４０と右側フレーム５０とを連結した後、窓ガラス１０を設ける場合、前記隣接する窓ガラス１０の稼動フレーム８０は干渉しない状態で、窓ガラス１０の上部端は稼動フレーム８０を押し上げて窓ガラス１０が窓額縁７０内に設けられる余裕空間を確保すると共に、下部端は下側フレーム４０に置かれ、前記窓ガラス１０が設けられると稼動フレーム８０が自重によって下部に移動して密着され、室内及び室外を遮るように構成することを特徴とするエアシールドウィンドウ。
【請求項１５】
前記稼動フレーム８０は、上側フレーム３０の折曲端３２に置かれて係止される係止端８１が両末端に形成され、前記係止端８１を連結する胴体端８２の下部面に１つの溝２０が形成された下部が開放された匚字状の稼動フレーム８０を多数構成することを特徴とする、請求項１４に記載のエアシールドウィンドウ。
【請求項１６】
摺動方式で開閉される窓ガラスフレーム１１からなる窓ガラス１０が結合して移動する上側フレーム３０、下側フレーム４０、左側フレーム５０、右側フレーム６０を四角フレームにして建物に設ける窓額縁７０の上側フレームにおいて、
前記上側フレーム３０は下部に開放された匚字状で建物２００の設置部２０１に密着して設けられる設置端３１の両末端が下部に延長された末端が内側に折曲して対向するように折曲端３２を形成し、前記設置端３１の内部面を連結して中央に貫通孔３４ａが形成される中間端３４を構成し、前記上側フレーム３０の貫通孔３４ａに挟まれる連結端８０ａの上部末端と下部末端にはそれぞれ中間端３４に置かれる上部係止端８０ａと、折曲端３２に置かれる下部係止端８０ｂとが一体に形成された稼動フレーム８０を形成し、前記稼動フレーム８０を上側フレーム３０の内部に挿入し、上部係止端８０ａと下部係止端８０ｂを中間端３４と折曲端３２に係止させ、前記上側フレーム３０の両側に、下側フレーム６０に連結された左側フレーム４０と右側フレーム５０とを連結した後、窓ガラス１０を設ける場合、前記窓ガラス１０の上部端は稼動フレーム８０を押し上げて窓ガラス１０が窓額縁７０内に設けられる余裕空間を確保すると共に、下部端は下側フレーム４０に置かれ、前記窓ガラス１０が設けられると稼動フレーム８０が自重によって下部に移動して密着され、室内及び室外を遮るように構成することを特徴とするエアシールドウィンドウ。
【発明の詳細な説明】
【技術分野】
【０００１】
本発明は、摺動方式で開閉されるエアシールドウィンドウに関し、特に、窓ガラスを窓ガラスフレームに挿入する場合、斜めに挿入するための空間を確保すると共に、窓ガラスが設けられると室内及び室外が連通する空間を遮ることで、断熱性を増大し、騷音が室内へ流入されることを防止することができるエアシールドウィンドウに関する。
【背景技術】
【０００２】
一般的に、多世帯住宅とアパートなどの各種建築物には、自然採光機能と、室内から室外を観望する機能と、室内の空気を換気させる機能と、が提供される摺動ウィンドウが設けられる。
【０００３】
このような摺動ウィンドウは、外部と内部とを連結してくれるものであり、窓ガラスを開けた時には、室内で外部からの快適な空気と日差しを楽しむことができ、窓ガラスを閉めた時には、外部からの騷音と悪い空気、暴雨、冷風、暑気、荒風から保護される必要である。すなわち、摺動ウィンドウにおいては、防音性、気密性、水密性、断熱性が非常に重要である。
【０００４】
従来の摺動ウィンドウは、レールが備えられた上下水平窓額縁と、左右垂直窓額縁とで構成されて壁に固定される窓額縁、前記窓額縁に左右に開閉可能に設けられ、レール溝が備えられた上下水平窓ガラスフレームと、左右垂直窓ガラスフレームとで構成された窓ガラス、前記レール溝の内部の前後方にそれぞれ設けられるモヘアで構成される。
【０００５】
このように構成された摺動ウィンドウは、窓ガラスのレール溝が窓額縁のレールにそれぞれ挟まれ、この際、レール溝に設けられたモヘアがレールの前面と後面にそれぞれ密着することで、防音効果及び防風効果を与えるようになる。
【０００６】
しかし、上記のような従来の摺動ウィンドウは、図１に示すように、摺動方式で開閉される窓ガラスフレーム１ａからなる窓ガラス１が結合して移動するレール２が形成された上側フレーム３、下側フレーム４、左側フレーム５、右側フレーム６を四角フレームにして建物に設ける窓額縁７で構成される。
【０００７】
このような、前記従来の摺動ウィンドウは、前記窓額縁７を施工した後、窓ガラス１を設ける場合、窓ガラス１の上部端を窓額縁７の上側フレーム３の内部に挿入し、窓ガラス１の下部端が下側フレーム４の上部に置かれるようにする結合方式を用いる。
【０００８】
しかし、上記従来の摺動ウィンドウは、窓ガラスを窓ガラスフレームに設けるためには、上側フレームの内部が長い必要があり、これによって、窓ガラスを設けた後、下側フレームに置かれると、窓ガラスの上部端と上側フレームとの間隔が大きく離隔してしまい、断熱性が劣化し、騷音が流入される問題があった。
【発明の概要】
【発明が解決しようとする課題】
【０００９】
ここで、本発明は、上記のような従来技術の問題点を勘案して案出したものであって、窓ガラスを窓ガラスフレームに設ける場合、下側フレームに置かれるよう窓ガラスの上部末端が上部に位置したフレームの内部に挿入されるように、上側フレームの内部から上下方向に摺動作動する稼動フレームを設置して、窓ガラスの設置が容易になるようにする上側フレームを提供することに目的がある。
【００１０】
そして、本発明の他の目的は、窓ガラスが窓ガラスフレームに設けられた後、上側フレームの内部に設けられた稼動フレームが自重によって窓ガラスの上部末端と密着するようにし、室内及び室外の連通を防止することで、断熱性の増大及び騷音の遮断ができるようにすることにある。
【００１１】
さらに、本発明の他の目的は、上側フレームと稼動フレームとの間に弾性手段を設け、稼動フレームを弾性力により下部に押して、窓ガラスの上部末端と密着させることで、断熱性の増大及び騷音の遮断をより緊密にすることにある。
【００１２】
尚、本発明の他の目的は、一般的な上側フレームに稼動フレームをネジ軸とナットを用いて結合することができ、汎用性が増大されるようにすることにある。
【課題を解決するための手段】
【００１３】
上記の目的を達成するため、本発明は、摺動方式で開閉される窓ガラスフレームからなる窓ガラスが結合して移動するレールが形成された上側フレーム、下側フレーム、左側フレーム、右側フレームを四角フレームにして建物に設ける窓ガラスフレーム上側フレームにおいて、前記上側フレームは、下部に開放された匚字の形態で建物の設置部に密着して設けられる設置端の両末端が、下部に延長された末端が内側に折曲して対向するように折曲端を形成し、前記上側フレームの折曲端に置かれて係止される係止端が両末端に形成され、前記係止端を連結する胴体端の下部面に多数のレールからなる下部が開放された匚字状の稼動フレームを形成し、前記稼動フレームを上側フレームの内部に挿入して、係止端を折曲端に係止させ、前記上側フレームの両側に、下側フレームに連結された左側フレームと右側フレームとを連結した後、窓ガラスを設ける場合、前記窓ガラスの上部端は稼動フレームを押し上げて窓ガラスが窓ガラスアフレーム内に設けられる余裕空間を確保すると共に、下部端は下側フレームに置かれ、前記窓ガラスが設けられると稼動フレームが自重によって下部に移動され、上側フレームに密着され、室内及び室外を遮るように構成することを特徴とするエアシールドウィンドウを提供する。
【発明の効果】
【００１４】
以上のように、本発明は、窓ガラスを窓ガラスフレームに設ける場合、下側フレームに置かれるよう窓ガラスの上部末端が上部に位置したフレームの内部に挿入されるよう、上側フレームの内部から上下方向に摺動作動する稼動フレームを設けることで、窓ガラスの設置が容易になるようにする効果がある。
【００１５】
そして、窓ガラスが窓ガラスフレームに設けられた後、上側フレームの内部に設けられた稼動フレームが自重によって窓ガラスの上部末端と密着するようにし、室内及び室外の連通を防止することで、断熱性の増大及び騷音の遮断ができるようにする効果がある。
【００１６】
さらに、上側フレームと稼動フレームとの間に弾性手段を設け、稼動フレームを弾性力により下部に押して、窓ガラスの上部末端と密着させることで、断熱性の増大及び騷音の遮断をより緊密にする効果がある。
【００１７】
尚、一般的な上側フレームに稼動フレームをネジ軸とナットを用いて結合することができ、汎用性を増大させる効果がある。
【図面の簡単な説明】
【００１８】
【図１】従来の摺動ウィンドウを窓ガラスフレームに設けるフロー図である。
【図２】窓ガラスフレームのある窓ガラスが窓額縁に設けられた正面図である。
【図３】図２のＡ-Ａ線に沿う窓ガラスフレームのある窓ガラスが設けられるエアシールドウィンドウを示す断面図である。
【図４】窓ガラスフレームのある窓ガラスが設けられる上側フレームの内部に設けられた稼動フレームが上下方向に作動する作動図である。
【図５】窓ガラスフレームのある窓ガラスが設けられる上側フレームの内部に設けられた稼動フレームの間に弾性手段が設けられた状態の断面図である。
【図６】窓ガラスフレームのある窓ガラスが設けられる上側フレームの内部に設けられた稼動フレームの上下作動による弾性手段の作動を示す断面図である。
【図７】窓ガラスフレームのある窓ガラスが窓額縁に設けられる手順、及び上側フレームの内部に設けられた稼動フレームの上下作動による弾性手段の作動を示す断面図である。
【図８】窓ガラスフレームの無い縁無しの窓ガラスが窓額縁に設けられた正面図である。
【図９】図２のＢ-Ｂ線に沿う窓ガラスフレームの無い窓ガラスが設けられるエアシールドウィンドウを示す断面図である。
【図１０】窓ガラスフレームの無い窓ガラスが設けられる上側フレームの内部に設けられた稼動フレームが上下方向に作動する作動図である。
【図１１】窓ガラスフレームの無い窓ガラスが設けられる上側フレームの内部に設けられた稼動フレームの間に弾性手段が設けられた状態の断面図である。
【図１２】窓ガラスフレームの無い窓ガラスが設けられる上側フレームの内部に設けられた稼動フレームの上下作動による弾性手段の作動を示す断面図である。
【図１３】窓ガラスフレームの無い窓ガラスが窓額縁に設けられる手順、及び上側フレームの内部に設けられた稼動フレームの上下作動による弾性手段の作動を示す断面図である。
【図１４】弾性手段の実施の例示図である。
【図１５ａ】様々な形態の上側フレームと稼動フレームに使われる弾性手段の多くの実施の形態を示す断面図である。
【図１５ｂ】様々な形態の上側フレームと稼動フレームを示す断面図である。
【図１６】上側フレームに稼動フレームが直接に係止されずに、連結手段を用いて連結される実施の形態を示した断面図である。
【図１７】図１６に窓ガラスを設ける場合の作動図である。
【図１８】弾性手段の他の実施の形態を示す断面図である。
【図１９】図１８に窓ガラスを設ける場合の作動図である。
【図２０】様々な形態の上側フレームと稼動フレームが弾性手段により連結される断面図である。
【図２１】１つのレールが形成された稼動フレームが上側フレームで上下移動されるように構成された断面図である。
【図２２】他の形態の上側フレームに稼動フレームが適用された断面図である。
【図２３】レール溝が形成された稼動フレームが上側フレームで上下移動されるように構成された断面図である。
【図２４】他の形態の稼動フレームが適用された断面図である。
【発明を実施するための形態】
【００１９】
本発明は、窓ガラスを窓ガラスフレームに挿入する場合、斜めに挿入するための空間を確保すると共に、窓ガラスが設けられると室内及び室外が連通する空間を遮ることで、断熱性を増大し、騷音が室内へ流入されることを防止することができるエアシールドウィンドウに関する。
【００２０】
ここで、上記のような本発明の好ましい実施の形態を、添付した図面に基づいて詳しく説明すると次の通りである。
【００２１】
図２〜図４に示すように、本発明のエアシールドウィンドウは、摺動方式で開閉される窓ガラスフレーム１１からなる窓ガラス１０が結合して移動するレール２０が形成された上側フレーム３０、下側フレーム４０、左側フレーム５０、右側フレーム６０を四角フレームにして建物に設ける窓額縁７０の上側フレーム３０に関するものである。
【００２２】
先ず、本発明では、２つの形態の窓ガラス１０を説明することにし、１つの窓ガラス１０は窓ガラスフレーム１１があるものであり、その他には、窓ガラスフレーム１１の無い縁無しの窓ガラス１０と使われる上側フレーム３０の構造を説明することにする。
【００２３】
１.  窓ガラスフレーム１１がある窓ガラス１０と使われる上側フレーム３０は;
先ず、前記上側フレーム３０は、下部に開放された匚字状で建物２００の設置部２０１に密着して設けられる設置端３１の両末端が下部に延長された末端が内側に折曲して対向するように折曲端３２が形成される。
【００２４】
この際、前記折曲端３２は、設置端３１の両末端の下部面の下部方向に一体で延長される延長端３２ａの下部末端に形成される。
【００２５】
そして、前記上側フレーム３０の折曲端３２に置かれて係止される係止端８１が両末端に形成され、前記係止端８１を連結する胴体端８２の下部面に多数のレール２０からなる下部が開放された匚字状の稼動フレーム８０を形成する。
【００２６】
ここで、前記稼動フレーム８０は、長さの方向に直角になるよう断面を切った状態で、横幅の長さは上側フレーム３０の延長端３２ａの離隔距離より小さく形成され、稼動フレーム８０が上側フレーム３０の長さ、または内部から上下方向に摺動移動可能に構成されたものである。
【００２７】
２.  図８〜図１０に示すように、窓ガラスフレーム１１の無い縁無しの窓ガラス１０と使われる上側フレーム３０は;
摺動方式で開閉される窓ガラスフレームの無い窓ガラス１０が結合して移動する上側フレーム３０、下側フレーム４０、左側フレーム５０、右側フレーム６０を四角フレームにして建物に設ける窓額縁７０の上側フレーム３０に関するものである。
【００２８】
先ず、前記上側フレーム３０は、下部に開放された匚字状（Ｃ字状）で建物２００の設置部２０１に密着して設けられる設置端３１の両末端が下部に延長された末端が内側に折曲して対向するように折曲端３２が形成される。
【００２９】
この際、前記折曲端３２は、設置端３１の両末端の下部面の下部方向に一体で延長される延長端３２ａの下部末端に形成される。
【００３０】
そして、前記上側フレーム３０の折曲端３２に置かれて係止される係止端８１が両末端に形成される。
【００３１】
このように、前記係止端８１を連結する胴体端８２の中央下部に分割端８４が形成され、係止端８１と分割端８４との間に多数のガイド溝８５からなる下部が開放された匚字状の稼動フレーム８０を形成する。
【００３２】
図５〜図７、図１１〜図１３に示すように、前記窓ガラスフレーム１１の有無による窓ガラス１０が設けられる上側フレーム３０に共通して、上側フレーム３０と稼動フレーム８０との間には弾性手段９０を挿入して構成することができる。
【００３３】
このように、前記弾性手段９０は、窓ガラス１０を設ける場合、上側フレーム３０に支持されて押し上げられる稼動フレーム８０によって加圧された後、窓ガラス１０の設置が完了すると弾性力によって稼動フレーム８０を下部に復帰させるように構成するものである。
【００３４】
図１４及び図１５ａに示すように、一実施の形態として、前記弾性手段９０は、半円筒状に構成され、上側フレーム３０に両末端が自由に支持されるか、一末端を固定して構成するものである。
【００３５】
ここで、前記弾性手段９０は、半円筒状であり、両末端は扁平に形成し、上側フレーム３０や稼動フレーム８０を支持することができる支持端９１が一体に形成される。(図１４の（ａ）を参照)
【００３６】
さらに、他の実施の形態として、前記弾性手段９０は、両末端の直径が同一なコイルバネ(図１４の（ｂ)を参照)、または円錐状のコイルバネ(図１４の（ｃ）を参照)の中、何れか１つで構成する。
【００３７】
そして、前記弾性手段９０がコイルバネで構成し、上下の一末端や両末端を上側フレーム３０や稼動フレーム８０に固定して結合することで、弾性手段８０の動きが防止されるように構成することもできる。
【００３８】
図１５に示すように、前記支持端９１は、上側フレーム３０や稼動フレーム８０に固定せずに自由端で維持させることも可能であり、一末端のみを上側フレーム３０や稼動フレーム８０に固定し、加圧する際に他の末端が押されて加圧可能になるように構成することも可能である。
【００３９】
この際、前記弾性手段９０は、上側フレーム３０や稼動フレーム８０の長さ方向に沿って等間隔の配置で多数個を一列や他列に配置して設けることができ、弾性板の場合、長さを長く形成して使用できるよう窓・戸フレーム１００が構成される。
【００４０】
他の実施の形態として、図１６〜図１９に示すように、前記上側フレーム３０に稼動フレーム８０が置かれて係止されずにネジ軸８７とナット８８で連結して構成される。
【００４１】
ここで、前記上側フレーム３０は下部に開放された匚字状で建物２００の設置部２０１に密着して設けられる設置端３１の両末端に上側孔３３を貫通して形成する。
【００４２】
そして、前記上側フレーム３０の設置端３１の下部面に密着され、上側孔３３と同一線上に稼動孔８６が胴体端８２を貫通して形成する。
【００４３】
さらに、前記胴体端８２の下部面に多数のレール２０からなる下部が開放された匚字状の稼動フレーム８０を形成する。
【００４４】
尚、前記上側フレーム３０の上側孔３３と稼動フレーム８０の稼動孔８６に両末端がそれぞれ貫通するネジ軸８７にナット８８を締結する。
【００４５】
この際、前記上側フレーム３０と稼動フレーム８０は、大部の長さが長い形態に製作され、上側孔３３と稼動孔８６は両末端の部分に形成され、手や締結工具を用いて上側孔３３と稼動孔８６を通じて露出されるネジ軸８７の両末端にナット８８を締結することができるように構成される。
【００４６】
一方、前記ネジ軸８７は、円柱状であり、両末端に限って数螺旋端が形成されることが望ましく、ネジ軸８７は一末端には釘やリベットのような頭部が形成され、他の末端には数螺旋端が形成された形態でも構成可能であろう。
【００４７】
そして、前記上側フレーム３０と稼動フレーム８０との間には弾性手段９０を挿入する。
【００４８】
この際、前記弾性手段９０は、窓ガラス１０を設ける場合、上側フレーム３０に支持されて押し上げられる稼動フレーム８０によって加圧された後、窓ガラス１０の設置が完了すると、弾性力によって稼動フレーム８０を下部に復帰させるように構成する。
【００４９】
このような前記弾性手段９０はスポンジであり、スポンジなどのようなクッション力を有するクッション部材で構成して窓・戸フレーム１００Ａを構成するものである。
【００５０】
図２０に示すように、前記上側フレーム３０と稼動フレーム８０との間に挿入される弾性手段９０をコイル状のバネで構成し、前記バネの上部端は上側フレーム３０の天井面に付着され、バネの下部端は稼動フレーム８０の屋根面に固定して構成することもできる。
【００５１】
図２１〜図２３に示すように、他の実施の形態として、摺動方式で開閉される窓ガラスフレーム１１からなる窓ガラス１０が結合して移動するレール２０が形成された上側フレーム３０、下側フレーム４０、左側フレーム５０、右側フレーム６０を四角フレームにして建物に設ける窓額縁７０の上側フレームに関するものである。
【００５２】
この際、前記上側フレーム３０は、下部に開放された匚字状で建物２００の設置部２０１に密着して設けられる設置端３１の両末端が下部に延長された末端が内側に折曲して対向するように折曲端３２を形成する。
【００５３】
そして、前記上側フレーム３０の折曲端３２に置かれて係止される係止端８１が両末端に形成され、前記係止端８１を連結する胴体端８２の下部面に１つのレール２０からなる下部が開放された匚字状の稼動フレーム８０を多数形成して窓・戸フレーム１００Ｂを構成する。
【００５４】
そして、前記稼動フレーム８０は、上側フレーム３０の折曲端３２に置かれて係止される係止端８１が両末端に形成され、前記係止端８１を連結する胴体端８２の下部面に１つの溝２０が形成された下部が開放された匚字状の稼動フレーム８０を多数構成することもできる。
【００５５】
図２４に示すように、他の実施の形態として、摺動方式で開閉される窓ガラスフレーム１１からなる窓ガラス１０が結合して移動する上側フレーム３０、下側フレーム４０、左側フレーム５０、右側フレーム６０を四角フレームにして建物に設ける窓額縁７０の上側フレームに関するものである。
【００５６】
ここで、前記上側フレーム３０は、下部に開放された匚字状で建物２００の設置部２０１に密着して設けられる設置端３１の両末端が下部に延長された末端が内側に折曲して対向するように折曲端３２を形成する。
【００５７】
この際、前記設置端３１の内部面を連結して中央に貫通孔３４ａが形成される中間端３４を構成する。
【００５８】
そして、前記上側フレーム３０の貫通孔３４ａに挟まれる連結端８０ａの上部末端と下部末端には、それぞれ中間端３４に置かれる上部係止端８０ａと、折曲端３２に置かれる下部係止端８０ｂと、が一体に形成された稼動フレーム８０を形成して窓・戸フレーム１００Ｂを構成する。
【００５９】
上記のように構成された本発明の作動及び作用を説明すると次の通りである。
【００６０】
図５〜図７に示すように、窓ガラスフレーム１１がある窓ガラス１０を設けるためには;
まず、前記稼動フレーム８０を上側フレーム３０の内部に挿入し、係止端８１を折曲端３２に係止させて上側フレーム３０を完成する。
【００６１】
その後、前記上側フレーム３０と下側フレーム４０、左側フレーム５０、右側フレーム６０を四角フレームの形態に連結及び結合して、建物２００の設置部２０１に固定させて窓額縁７０の施工を完了する。
【００６２】
次に、前記窓額縁７０を施工した後、窓ガラス１０を設置するための一般的な方式として、窓ガラス１０の上部端を窓額縁７０の上側フレーム３０の内部に挿入し、窓ガラス１０の下部端が下側フレーム４０の上部に置かれるようにする結合方式を用いる。
【００６３】
これによって、前記窓額縁７０に窓ガラス１０を設けるためには、必ず窓額縁７０の上側フレーム３０の内部空間の高さが高くなければならない。
【００６４】
すなわち、本発明において、窓ガラスフレーム１１がある窓ガラス１０を窓額縁７０に設ける場合、上側フレーム３０の内部に設けられ、上下方向に移動可能になるように設けられ、前記窓ガラス１０を設ける場合、窓ガラス１０の上部端は稼動フレーム８０を押し上げて窓ガラス１０が窓額縁７０内に設けられて余裕空間を確保すると共に、下部端は下側フレーム４０に置かれるようになる。
【００６５】
この際、前記窓ガラス１０の窓ガラスフレーム１１に形成されたレール溝１１ａにレール２０を挿入し、稼動フレーム８０を上部に押し上げるようになる。
【００６６】
そして、前記窓ガラス１０が設けられると、稼動フレーム８０が自重によって下部に移動され、レール溝１１ａの内部にレール２０が緊密に挿入されることで密着され、室内及び室外を遮ることで断熱性の増大及び騷音の遮断が可能になる利点がある。
【００６７】
図１１〜図１３に示すように、窓ガラスフレーム１１の無い縁無しの窓ガラス１０を設けるためには;
まず、前記窓額縁７０の施工方式は、窓ガラスフレーム１１がある窓ガラス１０を設けるための方式と同一であり、縁無しの窓ガラス１０を窓額縁７０に設ける方式も同様に成される。
【００６８】
つまり、本発明において、窓ガラスフレーム１１の無い縁無しの窓ガラス１０を窓額縁７０に設ける場合、上側フレーム３０の内部に設けられ、上下方向に移動可能に設けられ、前記窓ガラス１０を設ける場合、窓ガラス１０の上部端は稼動フレーム８０を押し上げ、窓ガラス１０が窓額縁７０内に設けられて余裕空間を確保すると共に、下部端は下側フレーム４０に置かれるようになる。
【００６９】
この際、前記窓ガラス１０の窓ガラスフレーム１１に形成されたガイド溝８５の内部に挿入され、稼動フレーム８０を上部に押し上げるようになる。
【００７０】
そして、前記窓ガラス１０が設けられると、稼動フレーム８０が自重によって下部に移動され、ガイド溝８５の内部に窓ガラスフレーム１１の無い縁無しの窓ガラス１０の上部末端が緊密に挿入されることで密着され、室内及び室外が連通することを遮ることで、断熱性の増大及び騷音の遮断が可能である長所がある。
【００７１】
共通的に、前記上側フレーム３０と稼動フレーム８０との間に弾性手段９０を設ける場合、窓ガラス１０を設ける際に、押す力によって上部に移動する稼動フレーム８０によって加圧されて圧縮された後、窓ガラス１０が下側フレーム４０に置かれるようになると、窓ガラス１０が下部に移動する際に弾性手段９０が復元され、稼動フレーム８０を下部に移動させて窓ガラス１０の上部端と密着させる。
【００７２】
つまり、前記弾性手段９０の弾性反発力により、稼動フレーム８０は速く下部に移動して原位置へ復帰し、稼動フレーム８０は、上側フレーム３０の折曲端３２に係止端８１が係止され、もう下部へ移動しなくなると共に、窓ガラス１０の上部に位置した窓ガラスフレーム１１や上部端を加圧しなくなる。
【００７３】
図１６〜図１９に示すように、前記上側フレーム３０に稼動フレーム８０が置かれて係止されず、ネジ軸８７とナット８８で連結する窓・戸フレーム１００Ａの作動は次の通りである。
【００７４】
先ず、前記稼動フレーム８０を上側フレーム３０の下部に密着させ、ネジ軸８７とナット８８で連結する。
【００７５】
その後、前記上側フレーム３０の両側に、下側フレーム６０に連結された左側フレーム４０と右側フレーム５０とを連結した後、窓ガラス１０を設ける。
【００７６】
次に、前記窓ガラス１０の上部端は、稼動フレーム８０を押し上げ、窓ガラス１０が窓額縁７０内に設けられる余裕空間を確保すると共に、下部端は下側フレーム４０に置かれるようになる。
【００７７】
図２１〜図２３に示すように、一方、前記稼動フレーム８０を上側フレーム３０の内部に挿入し、係止端８１を折曲端３２に係止させる。
【００７８】
つまり、前記上側フレーム３０の両側に、下側フレーム６０に連結された左側フレーム４０と右側フレーム５０とを連結した後、窓ガラス１０を設ける。
【００７９】
この際、前記隣接する窓ガラス１０の稼動フレーム８０は干渉しない状態で、窓ガラス１０の上部端は稼動フレーム８０を押し上げ、窓ガラス１０が窓額縁７０内に設けられる余裕空間を確保すると共に、下部端は下側フレーム４０に置かれる。
【００８０】
これによって、前記窓ガラス１０が設けられると、稼動フレーム８０が自重によって下部に移動して密着され、室内及び室外を遮るように構成するものである。
【００８１】
このような前記稼動フレーム８０は、窓ガラス１０が結合された隣接する稼動フレーム８０と独立して上下移動することで、干渉現象が発生しなくなるものである。
【００８２】
図２４に示すように、すなわち、前記稼動フレーム８０を上側フレーム３０の内部に挿入し、上部係止端８０ａ及び下部係止端８０ｂを中間端３４と折曲端３２に係止させる。
【００８３】
さらに、前記上側フレーム３０の両側に、下側フレーム６０に連結された左側フレーム４０と右側フレーム５０とを連結した後、窓ガラス１０を設ける場合、前記窓ガラス１０の上部端は稼動フレーム８０を押し上げ、窓ガラス１０が窓額縁７０内に設けられる余裕空間を確保すると共に、下部端は下側フレーム４０に置かれる。
【００８４】
そして、前記窓ガラス１０が設けられると、稼動フレーム８０が自重によって下部に移動して密着され、室内及び室外を遮ることができる。
【００８５】
この際、前記稼動フレーム８０は、窓ガラス１０によって上部に押し上げられると、ネジ軸８７に沿って上部に移動するか、ネジ軸８７と共に上部に移動するようになり、上側フレーム３０とネジ軸８７に結合されるナット８８によって下部に離脱されない。
【００８６】
このように、前記窓ガラス１０が設けられると、稼動フレーム８０が自重によって下部に移動して密着され、室内及び室外を遮る。
【００８７】
すなわち、前記稼動フレーム８０は、自重によって窓ガラス１０の設置が完了されると下部に移動するが、弾性部材９０の弾性力によって押され、下部に速く復帰することができる。
【００８８】
以上では、本発明について特定の好ましい実施の形態を例示して説明したが、本発明は、上記の実施の形態に限定されず、本発明の趣旨を逸脱しない範囲内で当該発明が属する技術分野において通常の知識を持った者により様々な変更及び修正が可能であろう。
【符号の説明】
【００８９】
１０  窓ガラス
１１  窓ガラスフレーム
１１ａ  レール溝  
２０  レール  
３０  上側フレーム  
３１  設置端  
３２  折曲端  
３２ａ  延長端  
３３  上側孔  
３４  中間端  
３４ａ  貫通孔  
４０  下側フレーム  
５０  左側フレーム
６０  右側フレーム  
７０  窓ガラスフレーム  
８０  稼動フレーム  
８０ａ  連結端
８０ｂ  上部係止端  
８０c  下部係止端  
８１  係止端  
８２  胴体端  
８４  分割端  
８５  ガイド溝  
８６  稼動孔  
８７  ネジ軸  
８８  ナット  
９０  弾性手段  
９１  支持端  
１００  窓・戸フレーム  
２００  建物  
２０１  設置面  
【図１】
0005760141.tif 000002
【図２】
0005760141.tif 000003
【図３】
0005760141.tif 000004
【図４】
0005760141.tif 000005
【図５】
0005760141.tif 000006
【図６】
0005760141.tif 000007
【図７】
0005760141.tif 000008
【図８】
0005760141.tif 000009
【図９】
0005760141.tif 000010
【図１０】
0005760141.tif 000011
【図１１】
0005760141.tif 000012
【図１２】
0005760141.tif 000013
【図１３】
0005760141.tif 000014
【図１４】
0005760141.tif 000015
【図１５ａ】
0005760141.tif 000016
【図１５ｂ】
0005760141.tif 000017
【図１６】
0005760141.tif 000018
【図１７】
0005760141.tif 000019
【図１８】
0005760141.tif 000020
【図１９】
0005760141.tif 000021
【図２０】
0005760141.tif 000022
【図２１】
0005760141.tif 000023
【図２２】
0005760141.tif 000024
【図２３】
0005760141.tif 000025
【図２４】
0005760141.tif 000026